(57)【要約】 【課題】  コンパクトで、可搬で、低価格のＩＣタグリーダ／ライタを提供すること。【解決手段】  帯電話機用の卓上ホルダ型のケース１８内にＩＣタグのリード・ライト用アンテナ１１と、リード・ライト用のＲＦ（高周波回路）基板１２を配し、場合によっては信号処理用のコントロール基板１３や、駆動用電池ユニット１４や、充電器接続端子１７や、外部機器接続インターフェイス１６を単独或いは複合して有し、携帯電話との接続用端子１５を外部インターフェイスとして持つＩＣタグリーダ／ライタとする。【選択図】  図２
2005269172.tif 000002
【特許請求の範囲】
【請求項１】
携帯電話機に用いる卓上ホルダ型ケース内に、ＩＣタグのリード・ライト用アンテナと、リード・ライト用の高周波回路（ＲＦ）基板と、信号処理用のコントロール基板と、駆動用電池ユニットとを配してなり、携帯電話機との接続用端子を外部インターフェイスとして持つことを特徴とするＩＣタグリーダ／ライタ。
【請求項２】
請求項１記載のＩＣタグリーダ／ライタにおいて、前記卓上ホルダ型ケース内に前記信号処理用のコントロール基板を持たず、前記携帯電話機内のべースバンドＩＣに信号処理させることを特徴とするＩＣタグリーダ／ライタ。
【請求項３】
請求項１又は２記載のＩＣタグリーダ／ライタにおいて、前記卓上ホルダ型ケース内に前記駆動用電池ユニットを持たず、携帯電話機に配された電池から駆動用電源を供給されることを特徴とするＩＣタグリーダ／ライタ。
【請求項４】
請求項１から３のいずれかに記載のＩＣタグリーダ／ライタにおいて、前記携帯電話機のディスプレイをタグ情報の表示部として用いることを特徴とするＩＣタグリーダ／ライタ。
【請求項５】
請求項１から４のいずれかに記載のＩＣタグリーダ／ライタにおいて、前記携帯電話機に備えられた通信手段を用いてタグ情報をホストサーバとの間で利活用することを特徴とするＩＣタグリーダ／ライタ。
【請求項６】
請求項５記載のＩＣタグリーダ／ライタにおいて、前記通信手段は、携帯通信網、パケット通信網、ブルートゥース、無線ＬＡＮ、ＩｒＤＡのうちのいずれかであることを特徴とするＩＣタグリーダ／ライタ。
【請求項７】
請求項１から６のいずれかに記載のＩＣタグリーダ／ライタにおいて、前記携帯電話機に搭載されたアプリケーション実行環境を利用して、アプリケーションからタグ情報を利活用することを特徴とするＩＣタグリーダ／ライタ。
【請求項８】
請求項１、２、４、５、６又は７記載のＩＣタグリーダ／ライタにおいて、ＩＣタグリーダ／ライタ内の駆動用電池ユニットから携帯電話機へ電源供給する手段を備えることを特徴とするＩＣタグリーダ／ライタ。
【請求項９】
請求項１、２、４、５、６又は７記載のＩＣタグリーダ／ライタにおいて、ＩＣタグリーダ／ライタ内の駆動用電池ユニットから携帯電話機へ電源充電する手段を備えることを特徴とするＩＣタグリーダ／ライタ。
【請求項１０】
請求項１から９のいずれかに記載のＩＣタグリーダ／ライタにおいて、携帯電話機の卓上ホルダとして機能し、充電器機能を持つことを特徴とするＩＣタグリーダ／ライタ。
【請求項１１】
請求項１から１０のいずれかに記載のＩＣタグリーダ／ライタにおいて、コンピュータと接続可能なインターフェイスを持つことを特徴とするＩＣタグリーダ／ライタ。
【発明の詳細な説明】
【技術分野】
【０００１】
本発明はＩＣタグリーダ／ライタに関し、特に物品管理や在庫管理、ＳＣＭ（サプライチェーン・マネジメント）等に用いられる可搬のＩＣタグの読み取り／書き込み装置として好適なＩＣタグリーダ／ライタに関する。
【背景技術】
【０００２】
従来この分野の可搬なリーダ／ライタといえば、ハンディ型と呼ばれる専用端末、或いは市販のＰＤＡ（携帯情報端末）やＰＣ（パーソナルコンピュータ）にコンパクトフラッシュ（登録商標）やＰＣカード、ＵＳＢ、ＲＳ−２３２Ｃ等をインターフェイスとして取り付ける外付け型を用意して運用する必要があった。
【０００３】
ハンディ型専用端末の一例として、特許文献１には、構成が簡略化され、小型、軽量な非接触ＲＦＩＤリーダライタ一体型携帯端末が開示されている。
【０００４】
また、運用の規模、システムによっては運用のための通信インフラも新たに構築する必要があった。
【０００５】
【特許文献１】特開２００１−３０７０３２号公報
【発明の開示】
【発明が解決しようとする課題】
【０００６】
従来技術は、（１）ハンディ型と呼ばれる専用端末を用意する場合であれば一台当たりの価格が高価であるが故に大きな導入コストがかかるという欠点があり、（２）外付け型を用意する場合であればＰＤＡと外付けのリーダ／ライタという最小でも、それなりに大きな２パーツ構成となるため、可搬であるとはいえ実使用上は、かなりかさばってしまい使いにくい、また破損しやすい等の問題があった。
【０００７】
すなわち本発明の課題は、コンパクトで、可搬で、低価格のＩＣタグリーダ／ライタを提供することにある。  
【課題を解決するための手段】
【０００８】
今や携帯電話の回線契約数は７９００万件、ＰＨＳは５３０万件（２００３年１０月末現在）を数え、誰しもが持っている通信手段、コミュニケーション手段と言っても差し支えない状況になってきている。本発明はこれら携帯電話、ＰＨＳが持っている機能の一部をＩＣタグの読み取り／書き込み装置の一部として用いることで、従来のＩＣタグリーダ／ライタに内包されていた機能から、補完できる機能を省き、小型且つ低価格なリーダ／ライタを提供することができる。
【０００９】
すなわち第１の発明によれば、携帯電話機に用いる卓上ホルダ型ケース内に、ＩＣタグのリード・ライト用アンテナと、リード・ライト用の高周波回路（ＲＦ）基板と、信号処理用のコントロール基板と、駆動用電池ユニットとを配してなり、携帯電話機との接続用端子を外部インターフェイスとして持つことを特徴とするＩＣタグリーダ／ライタが得られる。
【００１０】
第２の発明によれば、第１の発明のＩＣタグリーダ／ライタにおいて、前記卓上ホルダ型ケース内に前記信号処理用のコントロール基板を持たず、前記携帯電話機内のべースバンドＩＣに信号処理させることを特徴とするＩＣタグリーダ／ライタが得られる。
【００１１】
第３の発明によれば、第１又は第２の発明のＩＣタグリーダ／ライタにおいて、前記卓上ホルダ型ケース内に前記駆動用電池ユニットを持たず、携帯電話機に配された電池から駆動用電源を供給されることを特徴とするＩＣタグリーダ／ライタが得られる。
【００１２】
第４の発明によれば、第１から第３のいずれかの発明のＩＣタグリーダ／ライタにおいて、前記携帯電話機のディスプレイをタグ情報の表示部として用いることを特徴とするＩＣタグリーダ／ライタが得られる。
【００１３】
第５の発明によれば、第１から第４のいずれかの発明のＩＣタグリーダ／ライタにおいて、前記携帯電話機に備えられた通信手段を用いてタグ情報をホストサーバとの間で利活用することを特徴とするＩＣタグリーダ／ライタが得られる。
【００１４】
第６の発明によれば、第５の発明のＩＣタグリーダ／ライタにおいて、前記通信手段は、携帯通信網、パケット通信網、ブルートゥース、無線ＬＡＮ、ＩｒＤＡのうちのいずれかであることを特徴とするＩＣタグリーダ／ライタが得られる。
【００１５】
第７の発明によれば、第１から第６のいずれかの発明のＩＣタグリーダ／ライタにおいて、前記携帯電話機に搭載されたアプリケーション実行環境を利用して、アプリケーションからタグ情報を利活用することを特徴とするＩＣタグリーダ／ライタが得られる。
【００１６】
第８の発明によれば、第１、第２、第４、第５、第６又は第７の発明のＩＣタグリーダ／ライタにおいて、ＩＣタグリーダ／ライタ内の駆動用電池ユニットから携帯電話機へ電源供給する手段を備えることを特徴とするＩＣタグリーダ／ライタが得られる。
【００１７】
第９の発明によれば、第１、第２、第４、第５、第６又は第７の発明のＩＣタグリーダ／ライタにおいて、ＩＣタグリーダ／ライタ内の駆動用電池ユニットから携帯電話機へ電源充電する手段を備えることを特徴とするＩＣタグリーダ／ライタが得られる。
【００１８】
第１０の発明によれば、第１から第９のいずれかの発明のＩＣタグリーダ／ライタにおいて、携帯電話機の卓上ホルダとして機能し、充電器機能を持つことを特徴とするＩＣタグリーダ／ライタが得られる。
【００１９】
第１１の発明によれば、第１から第１０のいずれかの発明のＩＣタグリーダ／ライタにおいて、コンピュータと接続可能なインターフェイスを持つことを特徴とするＩＣタグリーダ／ライタが得られる。
【発明の効果】
【００２０】
本発明は携帯電話、ＰＨＳが持っている機能の一部をＩＣタグの読み取り／書き込み装置の一部として用いることで、従来のＩＣタグリーダ／ライタに内包されていた機能から、補完できる機能を省くことで小型且つ低価格なリーダ／ライタの提供が可能になった。また、携帯電話機に搭載された通信手段（携帯電話網、パケット通信網、ブルートゥース、無線ＬＡＮ、ＩｒＤＡ等）を利用することにより、新規に大がかりな通信インフラを構築する必要がない効果もある。
【発明を実施するための最良の形態】
【００２１】
本発明のＩＣタグリーダ／ライタは、携帯電話機の卓上ホルダ型のケース内にＩＣタグのリード・ライト用アンテナと、リード・ライト用の高周波回路（ＲＦ）基板を配し、場合によっては信号処理用のコントロール基板や、駆動用電池ユニットや、充電端子や、外部機器接続インターフェイスを単独或いは複合して有し、携帯電話機との接続用端子を外部インターフェイスとして持つＩＣタグリーダ／ライタである。
【００２２】
以下に本発明の実施の形態について図面を参照して説明する。図１は本発明の一実施の形態による卓上ホルダ型ＩＣタグリーダ／ライタと携帯電話機を接続し、使用状態に構成した一例の斜視図である。１はＩＣタグリーダ／ライタ本体、２は携帯電話機本体であり、コンパクトで可搬な構成となっている。
【００２３】
卓上ホルダ型ＩＣタグリーダ／ライタは図２に内部透視図で示したように、卓上ホルダ型をしたケース１８内の端部にアンテナ１１を配し、アンテナの送受信の信号線路が接続されリード・ライトをおこなう高周波回路（ＲＦ）回路が配されたＲＦ基板１２と信号処理用のロジック回路が配されたコントロール基板１３が順に接続されている。またコントロール基板には回路駆動用の電池を搭載した駆動用電池ユニット１４と、携帯電話機と信号をやりとりするインターフェイスである接続用端子１５が接続されてなる。また外部から駆動用電源を供給するための充電器接続端子１７や、ＰＣ等の外部機器と接続可能な外部機器接続インターフェイス１６を配して多岐の用途に対応してもよい。そのＰＣとの接続例を図６に斜視図で示す。８は接続ケーブルであり、４はＰＣ等の外部接続機器を示すが、ホストサーバ或いはその他の外部接続機器であってもよい。
【００２４】
他の図面を参照して、更に説明を続ける。図３は本発明のＩＣタグリーダ／ライタの使用状況を示す斜視図であり、ＩＣタグが配された商品３１からＩＣタグ３の情報を読み取る様子を示した。
【００２５】
図４は図３の使用状況での携帯電話機のディスプレイ表示例を示す図であり、２は携帯電話機本体、２１は携帯電話機ディスプレイを示す。
【００２６】
また、携帯電話機と接続することを鑑みると、昨今の携帯電話機内のベースバンドＩＣは高性能化の一途を辿っており、本発明の卓上ホルダ型ＩＣタグリーダ／ライタ内のコントロール基板で信号処理させず、携帯電話機内のＣＰＵ、ベースバンドＩＣに信号処理させてもよい。このようにすることで本発明の卓上ホルダ型ＩＣタグリーダ／ライタ内のコントロール基板を廃することができ、更なる低価格化、信頼性の向上、小型軽量化をはかることができる。
【００２７】
更には、携帯電話機に搭載された駆動用電池から、本発明の卓上ホルダ型ＩＣタグリーダ／ライタヘ駆動用電源として電力を供給させてもよい。このようにすることで本発明の卓上ホルダ型ＩＣタグリーダ／ライタ内の電池ユニット１４を廃することができ、これによっても低価格化、信頼性の向上、小型軽量化をはかることができる。逆に本発明の卓上ホルダ型ＩＣタグリーダ／ライタ内の駆動用電池から携帯電話機へ電源供給できるようにすれば、万一の携帯電話機の電池切れの際には緊急補助バッテリーとして用いることもできる。また、外部電源から本発明の卓上ホルダ型ＩＣタグリーダ／ライタを介し、携帯電話機の充電池へと充電できるような構造とすれば単純な卓上ホルダとして使うこともできる。もちろん本発明の卓上ホルダ型ＩＣタグリーダ／ライタ内の充電池へ充電できるような構造としてもよい。
【００２８】
その他、携帯電話機と接続することから、携帯電話機のディスプレイをタグ情報の表示部として用いたり、携帯電話に搭載された通信手段を用いて、すなわち携帯電話網、パケット通信網、ブルートゥース、無線ＬＡＮ、ＩｒＤＡ等を用いて、他所と通信したり、携帯電話機に搭載されたアプリケーション実行環境を利用して（Ｊａｖａ（登録商標）、ＢＲＥＷ（登録商標）等）、アプリケーションからデータを利活用することもできる。
【００２９】
その通信手段を図面によって更に説明する。図５は本発明のＩＣタグリーダ／ライタの使用状態と携帯電話機に搭載された通信手段を用いた通信例を示す図である。５は携帯電話網の基地局であり、パケット通信網基地局又は無線ＬＡＮアクセスポイントであってもよい。また６は遠隔地ホストサーバ、７はインターネットを示す。
【００３０】
尚、これらは全てが同時に適用される必要はなく、単独でも複合でも適用可能であることは言うまでもない。
【図面の簡単な説明】
【００３１】
【図１】本発明のＩＣタグリーダ／ライタと携帯電話機との接続状態を示す斜視図。
【図２】本発明のＩＣタグリーダ／ライタの内部透視図。
【図３】本発明のＩＣタグリーダ／ライタの使用状況を示す斜視図。
【図４】図３の使用状況での携帯電話機のディスプレイ表示例を示す図。
【図５】本発明のＩＣタグリーダ／ライタの使用状態と携帯電話機に搭載された通信手段を用いた通信例を示す図。
【図６】本発明のＩＣタグリーダ／ライタにＰＣを接続した例を示す斜視図。
【符号の説明】
【００３２】
１    ＩＣタグリーダ／ライタ本体
２    携帯電話機本体
３    ＩＣタグ
４    外部接続機器
５    基地局
６    遠隔地ホストサーバ
７    インターネット
８    接続ケーブル
１１    アンテナ
１２    ＲＦ基板
１３    コントロール基板
１４    駆動用電池ユニット
１５    接続用端子
１６    外部機器接続インターフェイス
１７    充電器接続端子
１８    ケース
２１    携帯電話機ディスプレイ
３１    ＩＣタグが配された商品
【図１】
2005269172.tif 000003
【図２】
2005269172.tif 000004
【図３】
2005269172.tif 000005
【図４】
2005269172.tif 000006
【図５】
2005269172.tif 000007
【図６】
2005269172.tif 000008